(57)【要約】【課題】無線通信端末の移動に際して、消費電力を低減すること。【解決手段】携帯電話機１０（無線通信端末）は、アクセスポイントと自端末との間の無線通信における通信品質を測定する通信品質測定部１１０と、自端末と通信可能な他のアクセスポイントを探索するためにスキャンを行うスキャン実行部１２０とを備える。スキャン実行部１２０は、通信品質測定部１１０が測定した通信品質がスキャン閾値（第１の閾値）未満となった場合に、第１のスキャン間隔毎に、スキャンを行う。更に、スキャン実行部１２０は、通信品質測定部１１０が測定した通信品質がスキャン閾値より低いＨＯ閾値（第２の閾値）未満となった場合に、第１のスキャン間隔より短い第２のスキャン間隔毎に、スキャンを行う。【選択図】図４
2008131587.tif 000002
【特許請求の範囲】
【請求項１】
アクセスポイントと自端末との間の無線通信における通信品質を測定する通信品質測定手段と、
自端末と通信可能な他のアクセスポイントを探索するためにスキャンを行うスキャン実行手段と
を備え、
前記スキャン実行手段は、
前記通信品質測定手段が測定した通信品質が第１の閾値未満となった場合に、第１のスキャン間隔毎に、前記スキャンを行い、
前記通信品質測定手段が測定した通信品質が前記第１の閾値より低い第２の閾値未満となった場合に、前記第１のスキャン間隔より短い第２のスキャン間隔毎に、前記スキャンを行う
ことを特徴とする無線通信端末。
【請求項２】
前記スキャン実行手段が、前記第１のスキャン間隔毎に行ったスキャンにより、自端末と通信可能な他のアクセスポイントを探索した場合に、該アクセスポイントを特定する情報を格納する格納手段と、
前記通信品質測定手段が測定した通信品質が前記第２の閾値未満となった場合に、ハンドオーバを行うハンドオーバ実行手段と
を更に備え、
前記ハンドオーバ実行手段は、
前記情報が前記格納手段に格納された場合に、該情報により特定されるアクセスポイントにハンドオーバを行い、
前記情報が前記格納手段に格納されていない場合に、前記スキャン実行手段が前記第２のスキャン間隔毎に行ったスキャンにより探索したアクセスポイントにハンドオーバを行う
ことを特徴とする請求項１記載の無線通信端末。
【請求項３】
前記通信品質測定手段は、前記アクセスポイントから受信した電波の強度に基づいて、前記通信品質を測定することを特徴とする請求項１又は請求項２記載の無線通信端末。
【請求項４】
アクセスポイントと無線通信を行う無線通信端末における無線通信方法であって、
通信品質測定手段が、前記アクセスポイントと自端末との間の無線通信における通信品質を測定する通信品質測定ステップと、
スキャン実行手段が、自端末と通信可能な他のアクセスポイントを探索するためにスキャンを行うスキャン実行ステップと
を備え、
前記スキャン実行ステップにおいては、
前記通信品質測定ステップにより測定された通信品質が第１の閾値未満となった場合に、前記スキャン実行手段が、第１のスキャン間隔毎に、前記スキャンを行い、
前記通信品質測定ステップにより測定された通信品質が前記第１の閾値より低い第２の閾値未満となった場合に、前記スキャン実行手段が、前記第１のスキャン間隔より短い第２のスキャン間隔毎に、前記スキャンを行う
ことを特徴とする無線通信方法。
【請求項５】
前記スキャン実行ステップにて、前記第１のスキャン間隔毎に行われたスキャンにより、自端末と通信可能な他のアクセスポイントが探索された場合に、格納手段が、該アクセスポイントを特定する情報を格納する格納ステップと、
前記通信品質測定ステップにより測定された通信品質が前記第２の閾値未満となった場合に、ハンドオーバ実行手段がハンドオーバを行うハンドオーバ実行ステップと
を更に備え、
前記ハンドオーバ実行ステップにおいては、
前記情報が前記格納ステップにて格納された場合に、前記ハンドオーバ実行手段が、該情報により特定されるアクセスポイントにハンドオーバを行い、
前記情報が前記格納ステップにて格納されなかった場合に、前記ハンドオーバ実行手段が、前記スキャン実行ステップにて前記第２のスキャン間隔毎に行われたスキャンにより探索されたアクセスポイントにハンドオーバを行う
ことを特徴とする請求項４記載の無線通信方法。
【発明の詳細な説明】
【技術分野】
【０００１】
本発明は、無線通信端末及び無線通信方法に関するものである。
【背景技術】
【０００２】
従来、携帯電話機等の無線通信端末は、基地局となるアクセスポイント（ＡＰ：Access Point）を介してインターネットに接続し、他の無線通信端末と例えばＶｏＩＰ（Voice over IP）通信等のデータ送受信を行う。無線通信端末がある地点から他の地点へ移動する場合に、該端末はそれまで接続していたアクセスポイントから、より通信品質の高いアクセスポイントに切り替えるという、いわゆるハンドオーバ（Hand Over）を行う。無線通信端末は、このハンドオーバに先立ち、自端末と通信可能なアクセスポイントを探索するという、いわゆるスキャン（Scan）を行う（例えば、特許文献１参照）。
【特許文献１】特開２００４−１８０２９７号公報
【発明の開示】
【発明が解決しようとする課題】
【０００３】
上記スキャンやハンドオーバが行われることにより、無線通信端末は電力を消費する。無線通信端末が頻繁に移動する場合には、該移動に伴うスキャンやハンドオーバも頻繁に行われ、該端末により消費される電力が増加する。
【０００４】
一方で、携帯電話機等の無線通信端末に、例えばパソコンに供給するような常時電源を与えることは難しい。また、無線通信端末は、小型化される傾向であり、バッテリサイズに制限される場合が多く、確保可能な電力量には限界がある。
【０００５】
そこで、本発明は、上記に鑑みてなされたもので、無線通信端末の移動に際して、消費電力を低減することが可能な無線通信端末及び無線通信方法を提供することを目的とする。
【課題を解決するための手段】
【０００６】
上記課題を解決するために、本発明の無線通信端末は、アクセスポイントと自端末との間の無線通信における通信品質を測定する通信品質測定手段と、自端末と通信可能な他のアクセスポイントを探索するためにスキャンを行うスキャン実行手段とを備え、スキャン実行手段は、通信品質測定手段が測定した通信品質が第１の閾値未満となった場合に、第１のスキャン間隔毎に、スキャンを行い、通信品質測定手段が測定した通信品質が第１の閾値より低い第２の閾値未満となった場合に、第１のスキャン間隔より短い第２のスキャン間隔毎に、スキャンを行うことを特徴とする。
【０００７】
また、本発明無線通信方法は、アクセスポイントと無線通信を行う無線通信端末における無線通信方法であって、通信品質測定手段が、アクセスポイントと自端末との間の無線通信における通信品質を測定する通信品質測定ステップと、スキャン実行手段が、自端末と通信可能な他のアクセスポイントを探索するためにスキャンを行うスキャン実行ステップとを備え、スキャン実行ステップにおいては、通信品質測定ステップにより測定された通信品質が第１の閾値未満となった場合に、スキャン実行手段が、第１のスキャン間隔毎に、スキャンを行い、通信品質測定ステップにより測定された通信品質が第１の閾値より低い第２の閾値未満となった場合に、スキャン実行手段が、第１のスキャン間隔より短い第２のスキャン間隔毎に、スキャンを行うことを特徴とする。
【０００８】
このような本発明の無線通信端末及び無線通信方法によれば、アクセスポイントと自端末との間における通信品質が第１の閾値未満となった場合に、スキャン実行手段が第１のスキャン間隔毎にスキャンを行う。また、上記通信品質が第１の閾値より低い第２の閾値未満となった場合に、スキャン実行手段は、第１のスキャン間隔より短い第２のスキャン間隔毎にスキャンを行う。
【０００９】
このように、本発明によれば、アクセスポイントと自端末との間における通信状況に応じて、スキャンを行う頻度を調整することができる。すなわち、通信品質が第２の閾値未満となった後は、第２のスキャン間隔毎の頻繁なスキャンが行われ、自端末と通信可能なアクセスポイントを早く探索することができる。また、通信品質が第２の閾値未満となる前までは、第１のスキャン間隔毎にスキャンを行うことによって、スキャンが行われる回数を減らすことが可能であり、該減らした分だけ、消費電力を低減することができる。したがって、例えば通信品質の良いときに頻繁なスキャンが行われることを防止するなど、不要なスキャンによって電力が無駄に消費されることを抑制することができる。
【００１０】
また、無線通信端末は、スキャン実行手段が、第１のスキャン間隔毎に行ったスキャンにより、自端末と通信可能な他のアクセスポイントを探索した場合に、該アクセスポイントを特定する情報を格納する格納手段と、通信品質測定手段が測定した通信品質が第２の閾値未満となった場合に、ハンドオーバを行うハンドオーバ実行手段とを更に備え、ハンドオーバ実行手段は、情報が格納手段に格納された場合に、該情報により特定されるアクセスポイントにハンドオーバを行い、情報が格納手段に格納されていない場合に、スキャン実行手段が第２のスキャン間隔毎に行ったスキャンにより探索したアクセスポイントにハンドオーバを行う。
【００１１】
また、無線通信方法は、スキャン実行ステップにて、第１のスキャン間隔毎に行われたスキャンにより、自端末と通信可能な他のアクセスポイントが探索された場合に、格納手段が、該アクセスポイントを特定する情報を格納する格納ステップと、通信品質測定ステップにより測定された通信品質が第２の閾値未満となった場合に、ハンドオーバ実行手段がハンドオーバを行うハンドオーバ実行ステップとを更に備え、ハンドオーバ実行ステップにおいては、情報が格納ステップにて格納された場合に、ハンドオーバ実行手段が、該情報により特定されるアクセスポイントにハンドオーバを行い、情報が格納ステップにて格納されなかった場合に、ハンドオーバ実行手段が、スキャン実行ステップにて第２のスキャン間隔毎に行われたスキャンにより探索されたアクセスポイントにハンドオーバを行う。
【００１２】
これらの発明によれば、第１のスキャン間隔毎に行ったスキャンによって自端末と通信可能な他のアクセスポイントが探索された場合に、すぐにハンドオーバを実行せず、該アクセスポイントを特定する情報を格納する。このように、通信品質が第２の閾値未満となる前まではハンドオーバを実行しないことにより、行わなかったハンドオーバの分だけ、消費電力を低減することができる。そして、通信品質が第２の閾値未満となったことによってハンドオーバ実行手段がハンドオーバを実行する際には、上記情報が格納されている場合には、改めてスキャンを行わずに、上記情報により特定されるアクセスポイントにハンドオーバを行うことができる。したがって、行わなかったスキャンの分だけ、消費電力を低減することができる。
【００１３】
また、無線通信端末においては、通信品質測定手段は、アクセスポイントから受信した電波の強度に基づいて、通信品質を測定する。本発明の無線通信端末は、アクセスポイントから受信した電波の強度を通信品質の尺度として用いる場合に、特に有用である。
【発明の効果】
【００１４】
本発明によれば、無線通信端末の移動に際して、消費電力を低減することができる。
【発明を実施するための最良の形態】
【００１５】
以下、添付図面を参照して本発明にかかる無線通信端末及び無線通信方法の好適な実施形態を詳細に説明する。なお、図面の説明において同一の要素には同一の符号を付し、重複する説明を省略する。
【００１６】
まず、本発明の無線通信端末を含む実施形態として無線通信システム１の構成について、図１を参照しながら説明する。図１は、無線通信システム１の構成概要図である。図１に示すように、無線通信システム１は、携帯電話機１０（無線通信端末）、及び複数のアクセスポイント２０ａ〜２０ｄを備える。以下、複数のアクセスポイント２０ａ〜２０ｄを総称して「アクセスポイント２０」ともいう。携帯電話機１０とアクセスポイント２０とは、通信網３０を介して、互いに通信可能なように構成されている。通信網３０は、例えばＶｏＩＰ通信を行うための無線ＬＡＮである。
【００１７】
本実施形態における携帯電話機１０は、ＶｏＩＰ通信を行う際に用いられる通信端末であり、無線通信によってアクセスポイント２０と無線リンクが接続される端末であれば如何なる無線通信端末であっても良い。図２は、携帯電話機１０のハードウェア構成図である。携帯電話機１０は、物理的には、図２に示すように、ＣＰＵ４１、主記憶装置であるＲＯＭ４２及びＲＡＭ４３、操作ボタンなどの操作部４４、ＬＣＤ（Liquid Crystal Display）などのディスプレイ４５、他の端末との間でデータの送受信を無線で行うデバイスである無線通信部４６、メモリディバイス等の補助記憶装置４７等を備えて構成される。ＲＯＭ４２やＲＡＭ４３等の記憶装置には、自端末と無線通信を行うアクセスポイントのプロファイルが格納される。該プロファイルには、例えばＥＳＳＩＤ（Extended Service Set IDentifier）等の無線ＬＡＮのネットワークを識別するためのグループ名や、通信網３０と接続するための設定情報等が含まれる。後述する携帯電話機１０の各機能は、図２に示すＣＰＵ４１、ＲＡＭ４３等のハードウェア上に所定のソフトウェアを読み込ませることにより、ＣＰＵ４１の制御のもとで操作部４４、ディスプレイ４５、無線通信部４６を動作させると共に、ＲＡＭ４３や補助記憶装置４７におけるデータの読み出し及び書き込みを行うことで実現される。
【００１８】
図１に戻り、携帯電話機１０の機能的な構成について説明する。携帯電話機１０は、図１に示すように、通信品質測定部１１０（通信品質測定手段）、スキャン実行部１２０（スキャン実行手段）、ハンドオーバ実行部１３０（ハンドオーバ実行手段）、及び格納部１４０（格納手段）を含んで構成される。
【００１９】
通信品質測定部１１０は、アクセスポイント２０と自端末との間の無線通信における通信品質を測定するものである。具体的に、通信品質測定部１１０は、自端末の周辺に設置されているアクセスポイント（以下、「周辺ＡＰ」という。）から定期的に送られてくるビーコン信号を受信し、このビーコン信号の電波強度を測定する。測定された電波強度は、通信品質を表す尺度として用いられる。周辺ＡＰには、現時点で自端末と無線リンクが接続されているアクセスポイント（以下、「接続ＡＰ」という。）だけでなく、現時点では自端末と無線リンクが接続されていないアクセスポイント（以下、「非接続ＡＰ」という。）の双方が含まれる。通信品質測定部１１０は、接続ＡＰとの間の通信品質を表す情報をスキャン実行部１２０及びハンドオーバ実行部１３０に出力する。また、通信品質測定部１１０は、所定の閾値より高い通信品質が測定された非接続ＡＰ（以下、「検出ＡＰ」という。）を特定する情報をプロファイルに記載して上記記憶装置に格納する。検出ＡＰは、後述するように、スキャンの対象となるアクセスポイントであり、単数か複数かを問わない。
【００２０】
スキャン実行部１２０は、接続ＡＰ以外に、自端末と通信可能な他のアクセスポイントを探索するためにスキャンを行うものである。具体的に、スキャン実行部１２０は、上記プロファイルに記載された情報から特定される検出ＡＰに対して、今後無線リンクが接続可能か否かを判断する。スキャン実行部１２０は、今後無線リンクが接続可能であると判断されたアクセスポイントを後述するハンドオーバの候補となるアクセスポイント（以下、「ターゲットＡＰ」という。）として選定する。本実施形態において、上記判断は、判断対象のアクセスポイントから発信される信号の電波強度と所定の閾値（以下、「ターゲット閾値」という。）とを比較することで行われる。すなわち、スキャン実行部１２０は、電波強度がターゲット閾値以上であるアクセスポイントをターゲットＡＰとして選定する。電波強度がターゲット閾値以上であるアクセスポイントが複数存在する場合には、スキャン実行部１２０は、該複数のアクセスポイントの中から、電波強度が最も強いアクセスポイントをターゲットＡＰとして選定する。
【００２１】
また、スキャン実行部１２０は、接続ＡＰの通信品質を表す情報を通信品質測定部１１０より入力され、該通信品質に応じて、上述したスキャンを実行する頻度を調整する。図３は、スキャン実行部１２０の機能を説明するための図である。図３においては、移動可能な携帯電話機１０がそれまで接続していた接続ＡＰから遠ざかっていくことにしたがって、接続ＡＰより受信する電波の強度が弱くなる。この電波の強度に応じて、スキャン実行部１２０は、スキャンの回数を調整する。すなわち、接続ＡＰより受信した電波の強度がスキャン閾値（第１の閾値）以上である場合に、スキャン実行部１２０は、スキャンを行わない。この場合は、接続ＡＰとの間の通信品質が良好であるため、他のアクセスポイントにハンドオーバすることを考慮しなくても良い場合に相当する。
【００２２】
また、スキャン実行部１２０は、接続ＡＰより受信した電波の強度がスキャン閾値未満であり、且つハンドオーバ閾値（第２の閾値）以上である場合に、第１のスキャン間隔でスキャンを行う。以下、「ハンドオーバ閾値」を「ＨＯ閾値」ともいう。また、スキャン閾値は、ＨＯ閾値より強い電波強度に相当する。以上の場合は、接続ＡＰとの間の通信品質が良好ではなくなったため、他のアクセスポイントにハンドオーバすることを考慮してその候補となるアクセスポイントを探し始める場合に相当する。以下、このような局面をスキャンフェーズという。
【００２３】
また、スキャン実行部１２０は、接続ＡＰより受信した電波の強度がＨＯ閾値未満である場合に、第２のスキャン間隔でスキャンを行う。この場合は、接続ＡＰとの間の通信品質が悪化されたため、他のアクセスポイントにハンドオーバを実行することが好ましい場合に相当する。以下、このような局面をＨＯフェーズという。第２のスキャン間隔（例えばＹ秒）は第１のスキャン間隔（例えばＸ秒）より短い間隔（Ｙ＜Ｘ）であること、つまりＨＯフェーズではスキャンフェーズより頻繁なスキャンが行われることが好ましい。ＨＯフェーズにおける通信品質はスキャンフェーズにおける通信品質より悪化されているため、例えばターゲットＡＰがまだ決まっていない場合には、なるべく早くターゲットＡＰを選定することが好ましいからである。なお、接続ＡＰより受信した電波の強度が更に悪化して、いわゆる圏外状態になったときには、スキャン実行部１２０は、スキャンを行わない。
【００２４】
スキャン実行部１２０は、第１のスキャン間隔で実行したスキャンによりターゲットＡＰを選定した場合には、該選定したターゲットＡＰを特定する情報を格納部１４０に出力し、格納部１４０は該情報を格納する。また、スキャン実行部１２０は、第２のスキャン間隔で実行したスキャンによりターゲットＡＰを選定した場合には、該選定したターゲットＡＰを特定する情報をハンドオーバ実行部１３０に出力する。
【００２５】
ハンドオーバ実行部１３０は、接続ＡＰとの間の通信品質を表す情報を通信品質測定部１１０より入力され、該通信品質がＨＯ閾値未満となった場合に、ハンドオーバを行うものである。ハンドオーバを実行する際に、ハンドオーバ実行部１３０は、まず、格納部１４０を参照して、ターゲットＡＰを特定する情報が格納部１４０に格納されているか否かを確認する。ターゲットＡＰを特定する情報が格納部１４０に格納されている場合に、ハンドオーバ実行部１３０は、該ターゲットＡＰにハンドオーバを行う。すなわち、この場合に、ハンドオーバに先だってスキャン実行部１２０による第２のスキャン間隔毎のスキャンは行わない。これに対して、ターゲットＡＰを特定する情報が格納部１４０に格納されていない場合に、ハンドオーバ実行部１３０は、ターゲットＡＰを特定する情報をスキャン実行部１２０より入力され、該ターゲットＡＰにハンドオーバを行う。すなわち、この場合には、ハンドオーバに先だってスキャン実行部１２０による第２のスキャン間隔毎のスキャンが行われる。
【００２６】
続いて、無線通信システム１により行われる動作（無線通信方法）について、図４を参照しながら説明する。図４は、無線通信システム１の動作を示すフローチャートである。
【００２７】
通信品質測定部１１０が、接続ＡＰ及び非接続ＡＰを含む周辺ＡＰから定期的に送られてくるビーコン信号を受信し、このビーコン信号の電波強度に基づいてそれぞれの周辺ＡＰと自端末との間の通信品質を測定する（ステップＳ１０１）。ステップＳ１０１にて、所定の閾値より高い通信品質が測定された非接続ＡＰは検出ＡＰとしてプロファイルに登録される。ステップＳ１０１における通信品質の測定は、例えば一定の時間毎に常に行われる。
【００２８】
ステップＳ１０１にて測定された接続ＡＰとの間の通信品質が、ＨＯ閾値未満であるか否かがハンドオーバ実行部１３０により判断される（ステップＳ１０２）。
【００２９】
ステップＳ１０２にて、通信品質がＨＯ閾値未満でないと判断された場合には、該通信品質がスキャン閾値未満であるか否かがスキャン実行部１２０により判断される（ステップＳ１０３）。ステップＳ１０３にて、通信品質がスキャン閾値未満でないと判断された場合には、処理の流れはステップＳ１０１に移行する。この場合は、上述した図３において、接続ＡＰとの間の通信品質が良好な場合に相当する。
【００３０】
一方で、ステップＳ１０３にて、通信品質がスキャン閾値未満であると判断された場合には、スキャン実行部１２０が、第１のスキャン間隔でスキャンを行う。このとき、ステップＳ１０１にてプロファイルに登録された検出ＡＰがスキャンの対象のアクセスポイントとなる（ステップＳ１０４）。
【００３１】
ステップＳ１０４にて、電波強度がターゲット閾値以上であるアクセスポイントを検出した場合（ステップＳ１０５：ＹＥＳ）には、該アクセスポイントをターゲットＡＰとして選定する。そして、該選定されたターゲットＡＰを特定する情報が格納部１４０に格納される（ステップＳ１０６）。これに対して、ステップＳ１０４にて、電波強度がターゲット閾値以上であるアクセスポイントが検出されなかった場合（ステップＳ１０５：ＮＯ）には、ステップＳ１０４に移行する。
【００３２】
ステップＳ１０４〜ステップＳ１０６における局面は、上述した図３において、スキャンフェーズに相当する。
【００３３】
一方で、ステップＳ１０２にて、通信品質がＨＯ閾値未満であると判断された場合には、格納部１４０にターゲットＡＰを特定する情報が格納されているか否かが判断される（ステップＳ１０７）。
【００３４】
ステップＳ１０７にて、格納部１４０にターゲットＡＰを特定する情報が格納されていない場合には、スキャン実行部１２０が、第２のスキャン間隔でスキャンを行う。通信品質は悪化されており、更にターゲットＡＰはまだ選定されていない状態なので、第１のスキャン間隔より短い間隔である第２のスキャン間隔でスキャンを頻繁に行うことが好ましい。
【００３５】
ステップＳ１０８にて、電波強度がターゲット閾値以上であるアクセスポイントを検出した場合（ステップＳ１０９：ＹＥＳ）には、該アクセスポイントをターゲットＡＰとして選定する（ステップＳ１１０）。そして、ハンドオーバ実行部１３０が、ステップＳ１１０にて選定された該ターゲットＡＰにハンドオーバを実行する（ステップＳ１１１）。これに対して、ステップＳ１０８にて、電波強度がターゲット閾値以上であるアクセスポイントが検出されなかった場合（ステップＳ１０９：ＮＯ）には、ステップＳ１０８に移行する。
【００３６】
一方で、ステップＳ１０７にて、格納部１４０にターゲットＡＰを特定する情報が格納されている場合には、ハンドオーバ実行部１３０が、該ターゲットＡＰにハンドオーバを実行する（ステップＳ１１１）。
【００３７】
ステップＳ１０７〜ステップＳ１１１における局面は、上述した図３において、ＨＯフェーズに相当する。
【００３８】
続いて、本実施形態にかかる無線通信システム１の作用及び効果について説明する。本実施形態の無線通信システム１によれば、接続ＡＰと自端末との間における通信品質がスキャン閾値未満（ただし、ＨＯ閾値以上）となった場合に、スキャン実行部１２０が第１のスキャン間隔（例えばＸ秒）毎にスキャンを行う。また、上記通信品質がＨＯ閾値未満となった場合に、スキャン実行部１２０は第１のスキャン間隔と異なる第２のスキャン間隔（例えばＹ秒）毎にスキャンを行う。このように、本実施形態によれば、接続ＡＰと自端末との間における通信状況に応じて、スキャンを行う頻度を調整することができる。したがって、例えば通信品質の良いとき（例えばスキャンフェーズ）に頻繁なスキャン（例えばＹ秒毎のスキャン）を行うことを防止するなど、不要なスキャンによって電力が無駄に消費されることを抑制することができる。
【００３９】
また、本実施形態によれば、第１のスキャン間隔毎に行ったスキャンによってターゲットＡＰが探索された場合に、すぐにハンドオーバを実行せず、該ターゲットＡＰを特定する情報を格納部１４０に格納する。このように、通信品質が第２の閾値未満となる前まではハンドオーバを実行しないことにより、行わなかったハンドオーバの分だけ、消費電力を低減することができる。そして、通信品質がＨＯ閾値未満となったことによってハンドオーバ実行部１３０がハンドオーバを実行する際には、上記情報が格納されている場合には、改めてスキャンを行わずに、上記情報により特定されるターゲットＡＰにハンドオーバを行うことができる。したがって、行わなかったスキャンの分だけ、消費電力を低減することができる。
【００４０】
また、本実施形態によれば、第２のスキャン間隔が第１のスキャン間隔より短い間隔である。このことにより、通信品質がＨＯ閾値未満となってハンドオーバが実行される際に、より頻繁なスキャンが行われ、ターゲットＡＰをより早く探索することができる。また、通信品質がＨＯ閾値未満となる前までは、スキャンが行われる回数を減らすことが可能であり、該減らした分だけ、消費電力を低減することができる。
【００４１】
また、本実施形態によれば、アクセスポイントから受信した電波の強度を通信品質の尺度として用いる。受信した電波の強度が、当該アクセスポイントとの間の通信品質を表すために最適であるからである。
【００４２】
以上、本発明の好適な実施形態について説明したが、本発明は上記実施形態に限定されないことは言うまでもない。
【００４３】
例えば、上記実施形態においては、受信電波の強度を直接に測定したが、これに限定されることなく、例えば受信電波に含まれたノイズの強度を逆算することによって受信電波の強度を間接的に測定しても良い。
【図面の簡単な説明】
【００４４】
【図１】無線通信システム１の構成概要図である。
【図２】携帯電話機１０のハードウェア構成図である。
【図３】スキャン実行部１２０の機能を説明するための図である。
【図４】無線通信システム１の動作を示すフローチャートである。
【符号の説明】
【００４５】
１…無線通信システム、１０…携帯電話機、２０，２０ａ，２０ｂ，２０ｃ，２０ｄ…アクセスポイント、１１０…通信品質測定部、１２０…スキャン実行部、１３０…ハンドオーバ実行部、１４０…格納部、３０…通信網。
【図１】
2008131587.tif 000003
【図２】
2008131587.tif 000004
【図３】
2008131587.tif 000005
【図４】
2008131587.tif 000006